(57)【要約】【課題】従来のエレベーターかご室天井では、安定器またはインバータはかご上またはランプハウス外の天井端部に固定されているため、保守作業はかご上から行う必要があり、作業効率が悪いという問題があった。【解決手段】天蓋部１の下面の両側縁部に固定されたガイド補強８間に跨がるように摺動自在にガイド本体９を設け、ガイド本体９の下面に安定器またはインバータ１５を着脱自在に設ける。ガイド本体９の下面に設けられた細長の安定器またはインバータ１５は、通常時はランプハウス７から外れた位置に配置され、保守時にランプハウス７内に引き出される。【選択図】図５
2008007216.tif 000002
【特許請求の範囲】
【請求項１】
天蓋部と、
前記天蓋部の下方に設けられた天井意匠面と、
前記天蓋部と前記天井意匠面の間に形成されたランプハウス内に配置されたランプと、
前記天井意匠面の中央に形成された開口部に設置され、保守時に開放される照明板と、
前記天蓋部の下面の両側縁部に固定されたガイド補強と、
前記ガイド補強間に跨って摺動自在に設けられ、通常時は前記ランプハウスから外れた位置に配置され、保守時に前記ランプハウス内に引き出されるガイド本体と、
前記ガイド本体の下面に着脱自在に設けられた細長の安定器またはインバータと
を備えたことを特徴とするエレベーターかご室天井。
【請求項２】
ガイド本体の高さは、天蓋部下面とガイド補強の下部上面で決定される空間高さよりも低い設定となっていることを特徴とする請求項１記載のエレベーターかご室天井。
【請求項３】
安定器またはインバータ上面は、ガイド本体の連結部下面近傍に配置され、前記ガイド本体の連結部下面と天井意匠面上面により決定される空間に前記安定器またはインバータが配置されたことを特徴とする請求項１又は請求項２に記載のエレベーターかご室天井。
【請求項４】
ガイド補強と接触するガイド本体の載置部先端に、樹脂やゴム等の素材からなるガイド部が設けられたことを特徴とする請求項１〜請求項３のいずれかに記載のエレベーターかご室天井。
【請求項５】
ガイド本体と接触するガイド補強の接触部にボールベアリングガイドが設けられたことを特徴とする請求項１〜請求項３のいずれかに記載のエレベーターかご室天井。
【請求項６】
ガイド補強内面には、ガイド本体が引き出される時にランプに接触することを防止するためのストッパーが設けられたことを特徴とする請求項１〜請求項５のいずれかに記載のエレベーターかご室天井。
【発明の詳細な説明】
【技術分野】
【０００１】
この発明は、安定器またはインバータが設置されたエレベーターかご室天井に関するものである。
【背景技術】
【０００２】
従来のエレベーターかご室天井においては、天井内にランプとともに安定器またはインバータを設置し、天井意匠面に透光性を有するアクリル樹脂製の照明板を設置して、かご室内の照明装置としての機能を有しているが、近年要求のある薄型のかご室天井においては、ランプハウスの空間に制約があり、安定器またはインバータをランプハウス内に設置することが困難となっている。このため、安定器またはインバータはかご上またはランプハウス外の天井端部に固定されている。
【０００３】
また、別の従来のエレベーターかご室天井においては、透光部が設けられて一側がかご室の固定部に枢着されて下側に回転可能に構成されかご室の天井板の下側に空隙を形成して配置された吊り天井板と、この吊り天井板を上昇位置に保持する掛止手段と、吊り天井板の上面に装着された光源体とを設けている。これによって、光源体の保守作業時には、吊り天井板を下方へ開放して、光源体を吊り天井板と共に下方の開放場所へ移動させることができる構成となっている（例えば、特許文献１参照）。
【０００４】
【特許文献１】特開平６−９１７７号公報
【発明の開示】
【発明が解決しようとする課題】
【０００５】
従来のエレベーターかご室天井では、安定器またはインバータはかご上またはランプハウス外の天井端部に固定されているため、安定器またはインバータの保守作業はかご上から行う必要があり、作業効率が悪いという問題があった。
【０００６】
この発明は、上述のような課題を解決するためになされたもので、その目的は、安定器またはインバータの保守作業をかご室内から容易に行うことができる薄型のエレベーターかご室天井を提供することである。
【課題を解決するための手段】
【０００７】
この発明に係るエレベーターかご室天井においては、天蓋部と、前記天蓋部の下方に設けられた天井意匠面と、前記天蓋部と前記天井意匠面の間に形成されたランプハウス内に配置されたランプと、前記天井意匠面の中央に形成された開口部に設置され、保守時に開放される照明板と、前記天蓋部の下面の両側縁部に固定されたガイド補強と、前記ガイド補強間に跨って摺動自在に設けられ、通常時は前記ランプハウスから外れた位置に配置され、保守時に前記ランプハウス内に引き出されるガイド本体と、前記ガイド本体の下面に着脱自在に設けられた細長の安定器またはインバータとを備えたものである。
【発明の効果】
【０００８】
この発明は、天蓋部と、前記天蓋部の下方に設けられた天井意匠面と、前記天蓋部と前記天井意匠面の間に形成されたランプハウス内に配置されたランプと、前記天井意匠面の中央に形成された開口部に設置され、保守時に開放される照明板と、前記天蓋部の下面の両側縁部に固定されたガイド補強と、前記ガイド補強間に跨って摺動自在に設けられ、通常時は前記ランプハウスから外れた位置に配置され、保守時に前記ランプハウス内に引き出されるガイド本体と、前記ガイド本体の下面に着脱自在に設けられた細長の安定器またはインバータとを備える構成としたことで、薄型のエレベーターかご室天井において、安定器またはインバータの保守作業をかご室内から容易にすることができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１を示すエレベーターかご室天井の斜視図、図２は図１のＡ−Ａ線における断面図、図３は図２のＢ−Ｂ線における断面図、図４は図３のＣ部拡大図、図５はこの発明の実施の形態１を示すエレベーターかご室天井の平面図、図６はこの発明の実施の形態１における安定器またはインバータの摺動を説明する図である。
【００１１】
図において、かご室天井は天蓋部１と天井意匠面２で構成されており、天井意匠面２の中央に形成された開口部３に透光性を有するアクリル樹脂製の照明板４が設置されている。天井意匠面２に一体に形成された取付部が、かご室の側壁５の上面に取り付けられている。ランプ６は、天蓋部１と天井意匠面２で形成された空間中央に位置するランプハウス７内の天井意匠面２の開口部３上方に配置されている。天蓋部１下面の対向する両側縁部には、一対のＺ字状のガイド補強８の上部水平片上面が固定されており、その下部水平片が互いに対向して、ガイドレールを形成する。ガイド補強８は、ランプハウス７外の天井意匠面２端縁部から一体に立設形成された側壁の互いに対向する二面近傍に平行に配置されている。
【００１２】
一対のガイド補強８の下部水平片の上面間に跨って、下向きコ字状で細長のガイド本体９が載置されている。ガイド本体９は、その長手方向がガイド補強８の長手方向と直交するようにランプハウス７外の天井意匠面２端縁部から一体に立設形成された側壁近傍に配置されている。ガイド補強８と接触するガイド本体９の載置部先端には、ガイド本体９の摺動が円滑に行われるように、樹脂やゴム等の素材のガイド部１０が設けられ、載置部を連結する連結部は、天蓋部１下面近傍に水平に配置されている。ガイド本体９の高さは、天蓋部１下面とガイド補強８の下部水平片上面で決定される空間高さよりも低い設定となっており、かご室天井の薄型化に寄与している。
【００１３】
ガイド本体９の連結部の両端近傍下面には、一対のＺ字状の取付台１１の上部水平片が上方から締結ビス１２により固定されている。一対の取付台１１の下部水平片の下面には、一対の固定板１３の下部水平片が下方から締結ビス１４により着脱自在に取り付けられている。一対の固定板１３の上部水平片の下面には、細長の安定器またはインバータ１５上部のフランジ部が上方から締結ビス１６により固定されており、その長手方向をガイド本体９の長手方向と揃えている。安定器またはインバータ１５上面は、ガイド本体９の連結部下面近傍に配置されており、さらにガイド本体９の連結部下面と天井意匠面２上面により決定される空間に、細長の安定器またはインバータ１５が配置されるので、かご室天井の薄型化に寄与している。
【００１４】
また、ガイド補強８内面には、ガイド本体９が引き出される時にランプ６に接触することを防止するためのストッパーが設けられている。
【００１５】
このように構成されたエレベーターかご室天井においては、安定器またはインバータ１５の保守作業時は、まず、天井意匠面２の開口部３に設置された照明板４はかご室内から取り外される。その後、図６の矢印に示す方向にガイド本体９とともに安定器またはインバータ１５を一対のガイド補強８で形成されたガイドレールに沿ってランプハウス７内へ摺動させる。ガイド本体９は、天井意匠面２の開口部３上方において、ストッパー１７の当接片に当接するため、ランプ６に接触することなく摺動を終える。次いで、かご室内から天井意匠面２の開口部３上方の固定板１３と取付台１１を着脱自在に固定している締結ビス１４を取り外すことにより、安定器またはインバータ１５と固定板１３を容易にかご室内に移動することができる。さらに、安定器またはインバータ１５のフランジ部と固定板１３を固定している締結ビス１６を取り外すことにより、かご室内で安定器またはインバータ１５の保守作業を行うことができる。
【００１６】
安定器またはインバータ１５の取り付けは、上記で説明した取り外し時の反対の手順でかご室内から容易に行うことができる。すなわち、かご室内で保守作業を終えた安定器またはインバータ１５のフランジ部と固定板１３を締結ビス１６で固定し、天井意匠面２の開口部３上方に配置される取付台１１に固定板１３を締結ビス１４で固定する。その後、ガイド本体９とともに安定器またはインバータ１５をランプハウス７外の天井意匠面２端縁部から一体に立設形成された側壁近傍まで摺動させる。最後に、かご室内から天井意匠面２の開口部３に照明板４を設置すれば、保守作業は終了する。
【００１７】
さらに、通常使用時においては、ランプハウス７外のかご室天井内の端縁部に配置されるガイド補強８、取付台１１、固定板１３、ガイド本体９、安定器またはインバータ１５、ストッパー１７は、ランプ６から発生する光により照明板４に投影されることはないため、かご室内にむらのない効率的な照明を提供できる。
【００１８】
実施の形態２．
なお、実施の形態１では、ガイド補強８と接触するガイド本体９の接触部に、摺動が円滑に行われるように、樹脂やゴム等の素材のガイド部１０が設けられているが、図７に示すように、ガイド本体９と接触するガイド補強８の接触部に鋼性の球体１８を有するボールベアリングガイド１９を設けてもよい。このボールベアリングガイド１９に案内されてガイド本体９が摺動することによって、ガイド本体９の摺動をより円滑かつ正確に行うことが可能となる。
【図面の簡単な説明】
【００１９】
【図１】この発明の実施の形態１を示すエレベーターかご室天井の斜視図である。
【図２】図１のＡ−Ａ線における断面図である。
【図３】図２のＢ−Ｂ線における断面図である。
【図４】図３のＣ部拡大図である。
【図５】この発明の実施の形態１を示すエレベーターかご室天井の平面図である。
【図６】この発明の実施の形態１における安定器またはインバータの摺動を説明する図である。
【図７】この発明の実施の形態２を示す図４相当図である。
【符号の説明】
【００２０】
１  天蓋部
２  天井意匠面
３  開口部
４  照明板
５  側壁
６  ランプ
７  ランプハウス
８  ガイド補強
９  ガイド本体
１０  ガイド部
１１  取付台
１２  締結ビス
１３  固定板
１４  締結ビス
１５  安定器またはインバータ
１６  締結ビス
１７  ストッパー
１８  球体
１９  ボールベアリングガイド
【図１】
2008007216.tif 000003
【図２】
2008007216.tif 000004
【図３】
2008007216.tif 000005
【図４】
2008007216.tif 000006
【図５】
2008007216.tif 000007
【図６】
2008007216.tif 000008
【図７】
2008007216.tif 000009